(57)【要約】      （修正有）【課題】本考案は、分解が便利で、且つ、良好な組み立て柔軟性を有する組み立て式フレーム構造を提供する。【解決手段】本考案が提供する組み立て式フレーム構造１００は、中空フレーム１１０及び複数のカバー１２０を備える。これらのカバー１２０は、第一組立開口１１２によって中空フレーム１１０にそれぞれ取り外し可能に組み立てられ、該組み立て式フレーム構造１００に多機能の設定モジュールを形成させる。本考案が提供する組み立て式フレーム構造１００は、分解が便利で、良好な組み立て柔軟性を有する。【選択図】図１Ａ
0003205633.tif 000002
【実用新案登録請求の範囲】
【請求項１】
複数の第一組立開口を有する中空フレームと、
前記複数の第一組立開口によって前記中空フレームにそれぞれ取り外し可能に組み立てられ、多機能の設定モジュールを形成させる複数のカバーと、
を備える、
組み立て式フレーム構造。
【請求項２】
前記複数のカバーの少なくとも一つは、少なくとも一つの第二組立開口を有し、
前記第二組立開口によって、対応する前記カバーに取り外し可能に組み立てられる少なくとも一つの差込部品をさらに備える、
請求項１に記載の組み立て式フレーム構造。
【請求項３】
前記中空フレームは、前記複数の第一組立開口内に位置する複数の第一係合部品を有し、
各前記カバーは、複数の第二係合部品を有し、
各前記カバーが、対応する前記第一組立開口によって前記中空フレームに取り外し可能に組み立てられるとき、各前記カバーの前記複数の第二係合部品は、対応する前記第一組立開口内に位置する前記複数の第一係合部品にそれぞれ係合される、
請求項１に記載の組み立て式フレーム構造。
【請求項４】
前記中空フレームは、前記複数の第一組立開口内に位置する複数の感磁部材を有し、
各前記カバーは、複数の磁性部材を有し、
各前記カバーが、対応する前記第一組立開口によって前記中空フレームに取り外し可能に組み立てられるとき、各前記カバーの前記複数の磁性部材は、対応する前記第一組立開口内に位置する前記複数の感磁部材にそれぞれ吸着される、
請求項１に記載の組み立て式フレーム構造。
【請求項５】
前記中空フレームは、前記複数の第一組立開口内に位置する複数の磁性部材を有し、
各前記カバーは、複数の感磁部材を有し、
各前記カバーが、対応する前記第一組立開口によって前記中空フレームに取り外し可能に組み立てられるとき、各前記カバーの前記複数の感磁部材は、対応する前記第一組立開口内に位置する前記複数の磁性部材にそれぞれ吸着される、
請求項１に記載の組み立て式フレーム構造。
【請求項６】
各前記カバーは、第一表面と前記第一表面に向かい合う第二表面とを有し、
各前記カバーは、対応する前記第一組立開口によって前記中空フレームに取り外し可能に組み立てられるとき、前記第一表面は、前記中空フレームに隠され、前記第二表面は、前記中空フレームに露出される、
請求項１に記載の組み立て式フレーム構造。
【請求項７】
前記複数のカバーの少なくとも一つは、グリップ部を有し、
前記グリップ部は、前記第二表面に配置される、
請求項６に記載の組み立て式フレーム構造。
【請求項８】
前記複数のカバーの少なくとも一つの前記第二表面に、文字、画像、符号又はマーキングを有する、又は、デジタルディスプレイパネルが配置される、
請求項６に記載の組み立て式フレーム構造。
【請求項９】
前記複数のカバーの少なくとも一つは、支持部品を有し、
前記支持部品は、前記第二表面に配置される、
請求項６に記載の組み立て式フレーム構造。
【請求項１０】
前記複数のカバーの少なくとも一つは、主要部及び前記主要部に接続される遮蔽部を有し、
前記遮蔽部は、前記主要部に対して回転して、前記主要部の収容空間を隠したり、露出させたりするのに適する、
請求項１に記載の組み立て式フレーム構造。
【考案の詳細な説明】
【技術分野】
【０００１】
本実用新案は、フレーム構造に関するものであり、特に組み立て式フレーム構造に関する。
【背景技術】
【０００２】
日常生活において、人々は物品を机、棚、容器に置く。上記机、棚、容器の外形は固定されており、相互に結合させることは難しく、人々は異なる必要性に応じてその構造の状態を変更することはできない。人々の住居のレイアウトまたはその他の場合のレイアウトの自主性はますます高まっており、外形が固定された、外観が単調な家具又は器具は使用者の必要性を満たすことができない。
【考案の概要】
【考案が解決しようとする課題】
【０００３】
本考案は、分解が便利で、且つ、良好な組み立て柔軟性を有する組み立て式フレーム構造を提供する。
【課題を解決するための手段】
【０００４】
本考案は、組み立て式フレーム構造を提供するものであって、それは中空フレーム及び複数のカバーを備える。中空フレームは、複数の第一組立開口を有する。これらのカバーは、これらの第一組立開口によって中空フレームにそれぞれ取り外し可能に組み立てられ、該組み立て式フレーム構造に多機能の設定モジュールを形成させる。
【０００５】
本考案の実施形態において、上述のカバーの少なくとも一つは、少なくとも一つの第二組立開口を有する。組み立て式フレーム構造は、少なくとも一つの差込部品をさらに備える。差込部品は、第二組立開口によって、対応するカバーに取り外し可能に組み立てられる。
【０００６】
本考案の実施形態において、上述の中空フレームは、これらの第一組立開口内に位置する複数の第一係合部品を有する。各カバーは、複数の第二係合部品を有する。各カバーが、対応する第一組立開口によって中空フレームに取り外し可能に組み立てられるとき、各カバーのこれらの第二係合部品は、対応する第一組立開口内に位置する第一係合部品にそれぞれ係合される。
【０００７】
本考案の実施形態において、上述の中空フレームは、これらの第一組立開口内に位置する複数の感磁部材を有する。各カバーは、複数の磁性部材を有する。各カバーが、対応する第一組立開口によって中空フレームに取り外し可能に組み立てられるとき、各カバーのこれらの磁性部材は、対応する第一組立開口内に位置するこれらの感磁部材にそれぞれ吸着される。
【０００８】
本考案の実施形態において、上述の中空フレームは、これらの第一組立開口内に位置する複数の磁性部材を有する。各カバーは、複数の感磁部材を有する。各カバーが、対応する第一組立開口によって中空フレームに取り外し可能に組み立てられるとき、各カバーのこれらの感磁部材は、対応する第一組立開口内に位置するこれらの磁性部材にそれぞれ吸着される。
【０００９】
本考案の実施形態において、上述の各カバーは、第一表面と第一表面に向かい合う第二表面とを有する。各カバーは、対応する第一組立開口によって中空フレームに取り外し可能に組み立てられるとき、第一表面は中空フレームに隠され、第二表面は中空フレームに露出される。
【００１０】
本考案の実施形態において、上述のカバーの少なくとも一つは、グリップ部を有する。グリップ部は、第二表面に配置される。
【００１１】
本考案の実施形態において、上述のカバーの少なくとも一つの第二表面は、文字、画像、符号又はマーキングを有する、又は、デジタルディスプレイパネルが配置される。
【００１２】
本考案の実施形態において、上述のカバーの少なくとも一つは、支持部品を有する。支持部品は、第二表面に配置される。
【００１３】
本考案の実施形態において、上述のカバーの少なくとも一つは、主要部及び主要部に接続される遮蔽部を有する。遮蔽部は主要部に対して回転して、主要部の収容空間を隠したり、露出させたりするのに適する。
【考案の効果】
【００１４】
以上に基づき、本考案の組み立て式フレーム構造は、中空フレームを主体とし、使用者は必要性に応じてこの主体に複数のカバーを組み立てることができる。したがって、本考案の組み立て式フレーム構造は、分解が便利で、且つ、良好な組み立て柔軟性及び使用上の柔軟性を有する。
【図面の簡単な説明】
【００１５】
【図１Ａ】本考案の実施形態における組み立て式フレーム構造の分解図である。
【図１Ｂ】図１Ａの組み立て式フレーム構造の組み立て図である。
【図２Ａ】図１Ｂの組み立て式フレーム構造の切断線Ｉ−Ｉに沿った局部断面の複数の実施態様を示す。
【図２Ｂ】図１Ｂの組み立て式フレーム構造の切断線Ｉ−Ｉに沿った局部断面の複数の実施態様を示す。
【図２Ｃ】図１Ｂの組み立て式フレーム構造の切断線Ｉ−Ｉに沿った局部断面の複数の実施態様を示す。
【図３】図１Ｂの組み立て式フレーム構造の別の角度からの図である。
【図４Ａ】本考案の別の実施形態における組み立て式フレーム構造の組み立て図である。
【図４Ｂ】図４Ａの組み立て式フレーム構造の別の角度からの図である。
【考案を実施するための形態】
【００１６】
本考案の上述した特徴と利点を更に明確化するために、以下、幾つかの実施形態を挙げて図面と共に詳細な内容を説明する。
【００１７】
図１Ａは、本考案の実施形態における組み立て式フレーム構造の分解図である。図１Ｂは、図１Ａの組み立て式フレーム構造の組み立て図である。図１Ａ及び図１Ｂを参照すると、本実施形態において、組み立て式フレーム構造１００は、中空フレーム１１０及び複数のカバー１２０を備えることができる。中空フレーム１１０は、例えば中空立方体であり、各壁面１１１に少なくとも一つの第一組立開口１１２が設けられる。説明が必要なことは、本考案の中空フレームの形状は限定されないことであり、その他の実施形態において、中空フレームは、中空円柱体、中空三角錐体、中空円錐体又はその他の中空多面体であってもよい。一般的に、中空フレームは、金属、アクリル、プラスチック、ガラス、複合材料又はその他の適切な材料から構成されてもよい。
【００１８】
中空フレーム１１０は、物品を置く、又は支持するものであってもよく、これらのカバー１２０は、これらの第一組立開口１１２によって中空フレーム１１０にそれぞれ取り外し可能に組み立てられ、組み立て式フレーム構造１００は、多機能の設定モジュールを形成する。例えば、使用者は、操作の必要性に応じて異なる機能を有するカバー１２０を中空フレーム１１０に組み立てる、又は、外観の必要性に応じて異なる形状を有するカバー１２０を中空フレーム１１０に組み立てることができる。また、各カバー１２０の輪郭は対応する第一組立開口１１２の輪郭とほぼ合致するので、中空フレーム１１０に組み立てられた後の各カバー１２０は、対応する第一組立開口１１２を覆う。
【００１９】
詳細には、各カバー１２０は、第一表面１２１と第一表面１２１に向かい合う第二表面１２２とを有する。各カバー１２０は、対応する第一組立開口１１２によって中空フレーム１１０に取り外し可能に組み立てられるとき、第一表面１２１は、中空フレーム１１０に隠され、第二表面１２２は、中空フレーム１１０に露出される。これらのカバー１２０が中空フレーム１１０に組み立てられた後の全体の外観を向上させるために、カバー１２０の第二表面１２２に、文字、画像、符号又はマーキングを印刷してもよい。上記文字、画像、符号又はマーキングは、使用者の必要性に応じて設計されてもよく、製品のカスタマイズの必要性に符合できる。また、上記文字、画像、符号又はマーキングは、使用者の判別を便利にするために、組み立て式フレーム構造１００又はカバー１２０の用途を示すものでもよい。
【００２０】
以下に、中空フレーム１１０とカバー１２０との可能な結合方式を説明する。図２Ａから図２Ｃは、図１Ｂの組み立て式フレーム構造の切断線Ｉ−Ｉに沿った局部断面の複数の実施態様を示す。図２Ａを参照すると、中空フレーム１１０は、これらの第一組立開口１１２内に位置する複数の第一係合部品１１３を有する。各カバー１２０は、これらの第一係合部品１１３に対応して配置される複数の第二係合部品１２３を有する。ここで、第一係合部品１１３は窪みであってもよく、第二係合部品１２３はフックであってもよい。各カバー１２０が、対応する第一組立開口１１２によって中空フレーム１１０に取り外し可能に組み立てられるとき、各カバー１２０のフックは、対応する第一組立開口１１２内に位置する窪みにそれぞれ係合され、各カバー１２０は、中空フレーム１１０にしっかりと組み立てられる。
【００２１】
図２Ｂを参照すると、図２Ａが示すカバー１２０と中空フレーム１１０との係合方式とは異なり、図２Ｂのカバー１２０の第二係合部品１２３は、例えば突起である。したがって、各カバー１２０が、対応する第一組立開口１１２によって中空フレーム１１０に取り外し可能に組み立てられるとき、各カバー１２０の突起は、対応する第一組立開口１１２内に位置する窪みにそれぞれ係合され、各カバー１２０は、中空フレーム１１０にしっかりと組み立てられる。
【００２２】
図２Ｃを参照すると、図２Ａ及び図２Ｂが示す係合構造によってカバー１２０を中空フレーム１１０に固定する方式と異なり、図２Ｃの中空フレーム１１０は、これらの第一組立開口１１２内に位置する複数の感磁部材１１３ａを有する。各カバー１２０は、これらの感磁部材１１３ａに対応して配置される複数の磁性部材１２３ａを有する。ここで、感磁部材１１３ａは、鉄片又は磁石に吸着可能なその他の部品であってもよく、磁性部材１２３ａは、例えば磁石である。各カバー１２０が、対応する第一組立開口１１２によって中空フレーム１１０に取り外し可能に組み立てられるとき、各カバー１２０の磁性部材１２３ａは、対応する第一組立開口１１２内に位置するこれらの感磁部材１１３ａにそれぞれ吸着され、各カバー１２０は、中空フレーム１１０にしっかりと組み立てられる。
【００２３】
磁力を利用してカバー１２０を中空フレーム１１０に固定する類似の設計概念に基づき、磁性部材と感磁部材との配置部位を交換してもよい。すなわち、磁性部材は中空フレームの各第一組立開口内に配置され、感磁部材は各カバーに配置される。このようにすることで、各カバーが対応する第一組立開口によって中空フレームに取り外し可能に組み立てられるとき、各カバーのこれらの感磁部材は、対応する第一組立開口内に位置するこれらの磁性部材によってそれぞれ吸着される。又は、中空フレームの各第一組立開口内及び各カバーに、磁性の異なる磁性部材がそれぞれ配置される。このようにすることで、各カバーが、対応する第一組立開口によって中空フレームに取り外し可能に組み立てられるとき、各カバーのこれらの磁性部材と対応する第一組立開口内に位置するこれらの磁性部材は、互いに吸着する。
【００２４】
その他の実施形態において、カバーの側面に軟らかい材料を配置してもよく、そのうち軟らかい材料はゴム又はその他の適切な材料であってもよく、軟らかい材料はカバーの少なくとも一つの側面に少なくとも配置され、より好ましくは、軟らかい材料はカバーの周囲を覆うことである。これによって、カバーが開口に組み立てられるとき、カバーは軟らかい材料によって開口に配置され、中空フレームに固定される。
【００２５】
図１Ａと図１Ｂとを参照すると、そのうち一つのカバー１２０は、少なくとも一つの第二組立開口１２４を有してもよい。組み立て式フレーム構造１００は、少なくとも一つの差込部品１３０をさらに備える。差込部品１３０は、第二組立開口１２４によって、対応するカバー１２０に取り外し可能に組み立てられる。本実施形態において、差込部品１３０は例えばカップであり、上記カップの外周面の輪郭は第二組立開口１２４の輪郭と合致する。したがって、差込部品１３０は、第二組立開口１２４によって対応するカバー１２０に取り外し可能に組み立てられたあと、差込部品１３０は対応するカバー１２０にしっかりと固定され、中空フレーム１１０の外力の影響を受けて、対応するカバー１２０から外れにくい。
【００２６】
また、差込部品１３０の周囲を囲うそのうち一つのカバー１２０は、グリップ部１２５を有してもよく、例えば取っ手である。グリップ部１２５は、対応するカバー１２０の第二表面１２２に配置される。これによって、使用者はグリップ部１２５によって組み立て式フレーム構造１００を容易に持ち上げて、カップ内のお茶や飲料を飲むことができる。説明が必要なことは、本考案の差込部品はカッブに限定されないことである。その他の実施形態において、差込部品は盆栽や水槽、又は人形の頭部、手、足であってもよく、使用者の必要性又は個人の好みによって調整可能である。
【００２７】
図１Ｂに示すように、差込部品１３０の周囲を囲う別のカバー１２０は、支持部品１２６を有してもよく、例えばポケット、棚、またはその他の物を置く又は支持するための部品である。支持部品１２６は、対応するカバー１２０の第二表面１２２に配置される。例えば、支持部品１２６は、文具、ティーセット、又は使用者が必要とするその他の対象を置くためであってもよい。
【００２８】
図３は、図１Ｂの組み立て式フレーム構造の別の角度からの図である。図３を参照すると、差込部品１３０の周囲を囲うそのうち一つのカバー１２０は、主要部１２７ａ及び主要部１２７ａに接続される遮蔽部１２７ｂを有してもよく、別のカバー１２０は、主要部１２７ｄ及び主要部１２７ｄに接続される遮蔽部１２７ｅを有してもよい。遮蔽部１２７ｂは、例えば主要部１２７ａに枢設され、主要部１２７ａに対して回転して、主要部１２７ａの収容空間１２７ｃを隠したり、露出させたりするのに適する。例えば、収容空間１２７ｃは、文具、ティーセット、又は使用者が必要とするその他の対象を置くためであってもよい。
【００２９】
また、遮蔽部１２７ｅは、例えば主要部１２７ｄに開閉可能に接続される。図３に示すように、遮蔽部１２７ｅのそのうち二つの向かい合う側面は主要部１２７ｄにそれぞれ固定され、及び主要部１２７ｄと分離させ、上記二つの側面に接続される別の二つの向かい合う側面は、例えば伸縮ベルトによって主要部１２７ｄに接続される。したがって、使用者は中空フレーム１１０から離れる方向に遮蔽部１２７ｅに力を加えるとき、使用者が収容空間１２７ｆ内に置かれているティーバッグ又は使用者が必要とするその他の対象を取り出すために、遮蔽部１２７ｅは主要部１２７ｄの収容空間１２７ｆを露出させる。また、上述の遮蔽部１２７ｅに加えられた力が除かれる時、遮蔽部１２７ｅに前述の伸縮ベルトによって、自動的に元の位置に戻り、主要部１２７ｄの収容空間１２７ｆを覆う。
【００３０】
以下にその他の実施例を挙げて説明する。ここで説明が必要なことは、以下の実施形態は上記の実施形態の部品番号や部分的な内容を用いており、同じ番号で同じ又は相似する部品を示し、同じ技術内容の説明は省略する。省略した部分の説明に関しては、上述の実施形態を参考にして、以下の実施形態では繰り返し説明しない。
【００３１】
図４Ａは、本考案の別の実施形態における組み立て式フレーム構造の組み立て図である。図４Ａを参照すると、本実施形態において、組み立て式フレーム構造１００Ａは例えば外付けのステレオであり、それに接続したスマートフォン、タブレット又は携帯音楽プレイヤーの音声を流すことに用いられる。詳細には、そのうち一つのカバー１２０ａは、少なくとも一つの第二組立開口１２４ａを有し、第二組立開口１２４ａは、差込部品１３０ａ（即ち、スマートフォン、タブレット又は携帯音楽プレイヤー）のスロットとしてもよい。また、差込部品１３０ａの周囲を囲うそのうち一つのカバー１２０ａは例えば、スピーカーであり、差込部品１３０ａ（即ち、スマートフォン、タブレット又は携帯音楽プレイヤー）から出力する音声を流すことに用いられる。差込部品１３０ａの周囲を囲う別の一つのカバー１２０ａは、第二表面１２２に配置されるデジタルディスプレイパネル１２８を有してもよい。具体的に、これらのカバー１２０ａは、ワイヤレス送信の方式で、差込部品１３０ａ（即ち、スマートフォン、タブレット又は携帯音楽プレイヤー）と単方向又は双方向の通信を行うことができる。また、デジタルディスプレイパネル１２８は、音声を流す時の関連する情報を表示するために用いてもよく、使用者の読取を便利にする。例えば、デジタルディスプレイパネル１２８はタッチ機能を有してもよく、したがって、使用者は、差込部品１３０ａ（即ち、スマートフォン、タブレット又は携帯音楽プレイヤー）又はデジタルディスプレイパネル１２８を選択して、音声を流すことを制御することができる。
【００３２】
図４Ｂは、図４Ａの組み立て式フレーム構造の別の角度からの図である。図４Ｂを参照すると、差込部品１３０ａの周囲を囲うそのうち一つのカバー１２０ａはスピーカーであってもよく、差込部品１３０ａ（即ち、スマートフォン、タブレット又は携帯音楽プレイヤー）から出力する音声を流すことに用いられる。また、差込部品１３０ａの周囲を囲う別の一つのカバー１２０ａは、ポート１２２ａを有してもよい。外付けコード１０は、ポート１２２ａに接続されて、信号又は電源を差込部品１３０ａ（即ち、スマートフォン、タブレット又は携帯音楽プレイヤー）又はその他のカバー１２０ａに送ることができる。詳細には、上述の信号又は電源は外付けコード１０によって接続されたカバー１２０ａに送られた後、このカバー１２０ａによって上述の信号又は電源は有線信号からワイヤレス信号に変換され、ワイヤレス送信の方式で差込部品１３０ａ（即ち、スマートフォン、タブレット又は携帯音楽プレイヤー）又はその他のカバー１２０ａに送ることができる。別の実施形態において、外部信号又は電源を送ることは、ワイヤレス送信の方式で達成してもよく、カバー１２０ａに外付けコード１０を接続する必要が無い。
【００３３】
以上のように、本考案の組み立て式フレーム構造は、中空フレームを主体とし、使用者は必要性に応じてこの主体に複数のカバーを組み立て、多機能の設定モジュールを形成できる。具体的には、使用者は操作の必要性に応じて異なる機能を有するカバーを中空フレームに組み立てる、又は、外観の必要性に基づき、異なる形状を有するカバーを中空フレームに組み立てることができる。したがって、本考案の組み立て式フレーム構造は、分解が便利で、且つ、良好な組み立て柔軟性及び使用上の柔軟性を有する。
【００３４】
また、これらのカバーの少なくとも一つは組立開口を設置し、差込部品は組立開口によって取り外し可能に接続される。例えば、差込部品はカップ、盆栽や水槽、又は人形の頭部、手、足であってもよく、或いは、スマートフォン、タブレット又は携帯音楽プレイヤーであってもよく、使用者の必要性又は個人の好みによって調整可能である。これに対して、差込部品の機能又は使用目的に応じて、使用者は差込部品に対応して、特定の機能又は形状を有するカバーを中空フレームに組み立てることができる。
【００３５】
本考案は以上の実施形態のように示したが、本考案は、これに限られるものではなく、当業者が本考案の精神の範囲から逸脱しない範囲において、変更又は修正することが可能であるが故に本考案の保護範囲は均等の範囲にまで及ぶものとする。
【産業上の利用可能性】
【００３６】
本考案は、組み立て式フレーム構造を提供するものであり、分解が便利で、且つ、良好な組み立て柔軟性を有する。
【符号の説明】
【００３７】
１０  外付けコード
１００，１００Ａ  組み立て式フレーム構造
１１０  中空フレーム
１１１  壁面
１１２  第一組立開口
１１３  第一係合部品
１１３ａ  感磁部材
１２０、１２０ａ  カバー
１２１  第一表面
１２２  第二表面
１２２ａ  ポート
１２３  第二係合部品
１２３ａ  磁性部材
１２４，１２４ａ  第二組立開口
１２５  グリップ部
１２６  支持部品
１２７ａ，１２７ｄ  主要部
１２７ｂ，１２７ｅ  遮蔽部
１２７ｃ，１２７ｆ  収容空間
１２８  デジタルディスプレイパネル
１３０，１３０ａ  差込部品
【図１Ａ】
0003205633.tif 000003
【図１Ｂ】
0003205633.tif 000004
【図２Ａ】
0003205633.tif 000005
【図２Ｂ】
0003205633.tif 000006
【図２Ｃ】
0003205633.tif 000007
【図３】
0003205633.tif 000008
【図４Ａ】
0003205633.tif 000009
【図４Ｂ】
0003205633.tif 000010